(57)【要約】  引き出し（１０）等の側壁（１２、１３）にフロントパネル（１１）を調整可能に固定する器具（１６）が、引き出し（１０）の側壁（１２、１３）に固定可能な第１の部分（１７）、及び、引き出し（１０）のフロントパネル（１１）に固定可能な第２の部分（１８）を含み、第１の部分（１７）及び／又は第２の部分（１８）は、鉛直方向及び／又は横方向に沿って互いに摺動可能に接続されている少なくとも第１の要素及び第２の要素（１９、２０；２１、２２；４３、４４、４５）を含み、第１の要素と第２の要素（１９、２０；２１、２２；４３、４４、４５）との間には、引き出し（１０）の側壁（１２、１３）に対するフロントパネル（１１）の鉛直位置及び／又は横方向位置を調整するように調整手段（３１、３２；５３、５４）が介装されている。
2016508775.tif 000002
【特許請求の範囲】
【請求項１】
引き出し（１０）等の側壁（１２、１３）に対してフロントパネル（１１）を調整可能に固定する調整可能な固定器具（１６）であって、
−前記引き出し（１０）の側壁（１２、１３）に固定可能な第１の部分（１７）、
−前記引き出し（１０）のフロントパネル（１１）に固定可能な第２の部分（１８）、並びに
−前記引き出し（１０）の側壁（１２、１３）に対する前記フロントパネル（１１）の鉛直位置及び横方向位置の少なくともいずれか一方を調整する調整手段（３１、３２；５３、５４）
を備え、
前記第１の部分（１７）及び第２の部分（１８）の少なくともいずれか一方は、略鉛直方向及び横方向の少なくともいずれか一方に従って互いに摺動可能に接続されている少なくとも第１の要素及び第２の要素（１９、２０；２１、２２；４３、４４、４５）を含むこと、
前記第１の部分（１７）及び第２の部分（１８）は、互いに直交するそれぞれの平面に配置され、前記側壁（１２、１３）のうちの一方の内面及び前記フロントパネル（１１）の内面にそれぞれ固定可能であるように適合及び配置されること、並びに、
前記調整手段（３１、３２；５３、５４）は、当該固定器具（１６）の第１の部分（１７）及び第２の部分（１８）の少なくともいずれか一方の前記摺動要素（１９、２０；２１、２２；４３、４４、４５）間に介装され、該摺動要素（１９、２０；２１、２２；４３、４４、４５）の鉛直方向及び横方向への摺動を駆動することを特徴とする、調整可能な固定器具。
【請求項２】
前記第１の部分（１７）は、前記引き出し（１０）の側壁（１２、１３）の内面に固定可能な第１の要素（１９）、及び、該第１の要素（１９）に摺動可能に接続される第２の要素（２０）を含むこと、並びに、前記第２の部分（１８）は、前記引き出し（１０）のフロントパネル（１１）の内面に固定可能な第１の要素（２１）、及び、前記第２の部分（１８）の第１の要素（２１）に摺動可能に接続される第２の要素（２２）を含むことを特徴とする、請求項１に記載の固定器具。
【請求項３】
前記第１の部分（１７）の第２の要素（２０）及び前記第２の部分（１８）の第２の要素（２２）は、Ｌ字形の単一の構成要素として作られることを特徴とする、請求項２に記載の固定器具。
【請求項４】
前記第１の部分（１７）の第２の要素（２０）及び前記第２の部分（１８）の第２の要素（２２）は、フック手段又は迅速接続手段によって、或はねじによって、互いに接続可能な別個の構成要素であることを特徴とする、請求項２に記載の固定器具。
【請求項５】
前記フック手段又は迅速接続手段の締付手段であって、前記フック手段又は迅速接続手段間の連結部の遊びを相殺し、又は、加工誤差を相殺し、或はその両方を行うように適合及び配置される、締付手段を含むことを特徴とする、請求項４に記載の固定器具。
【請求項６】
前記締付手段は、当該固定器具（１６）の第２の部分（１８）によって回転可能に支持される偏心締付部材（６１）を含み、該締付部材（６１）は、当該固定器具（１６）の第１の部分（１７）の表面（６２）に対して作用するように適合及び配置されることを特徴とする、請求項５に記載の固定器具。
【請求項７】
前記フロントパネル（１１）の内面に固定可能な基部要素（３９）であって、前記引き出し（１０）のフロントパネル（１１）に固定可能な前記第２の部分（１８）の第１の要素（２１）のためのフック手段（４１）又は迅速接続手段を有する、基部要素（３９）を含むことを特徴とする、請求項２又は３に記載の固定器具。
【請求項８】
前記迅速接続手段は、前記基部要素（６４）において、前記第２の部分（１８）の第１の要素（２１）に設けられるそれぞれの開口（６６、６９）に挿入可能な第１の固定された保持ウィング（６５）及び回転可能な保持部材（６７）を含み、該保持部材（６７）は、前記第１の要素（２１）の一部に回転可能に係合可能な形状付きのウィング（６８）を有することを特徴とする、請求項７に記載の固定器具。
【請求項９】
当該固定器具（１６）の第２の部分（１８）は迅速接続手段によって前記フロントパネル（１１）に固定可能であることを特徴とする、請求項１〜３のいずれか一項に記載の固定器具。
【請求項１０】
前記迅速接続手段は少なくとも１つの拡張可能な接続部材を含むことを特徴とする、請求項９に記載の固定器具。
【請求項１１】
前記第２の部分（１８）は、前記引き出し（１０）のフロントパネル（１１）の内面に固定可能な第１の要素（４３）、第１の方向に従って前記第１の要素（４３）に摺動可能に接続される第２の要素（４４）、及び、前記第１の方向に対して垂直な第２の方向に従って前記第２の要素（４４）に摺動可能に接続される第３の要素（４５）を含み、該第３の要素（４５）は、前記引き出し（１０）の側壁（１２、１３）に固定可能な延長部（４６）を有することを特徴とする、請求項１に記載の固定器具。
【請求項１２】
前記第３の要素（４５）と前記引き出し（１０）の側壁（１２、１３）に固定可能な延長部（４６）との間のフック手段又は迅速接続手段を含むことを特徴とする、請求項１１に記載の固定器具。
【請求項１３】
前記フック手段は、前記第１の部分（１７）の第２の要素（２０）から直角に突出する第１のフック用フォーク（５５）、及び、前記第２の部分（１８）の第２の要素（２２）から直角に突出する第２のフック用フォーク（５７）を含み、前記第１のフォーク（５５）は、前記第２のフォーク（５７）の平坦な部分（５７’）を挿入可能な上方に開口したスリット（５６）を有し、前記第２のフォーク（５７）は、前記第１のフォーク（５５）の平坦な部分（５５’）を挿入可能な下方に開口したスリット（５８）を有することを特徴とする、請求項４又は１２に記載の固定器具。
【請求項１４】
前記摺動要素（１９、２０；２１、２２；４３、４４、４５）間に介装される前記調整手段は偏心調整部材（３１、３２；５３、５４）として構成されることを特徴とする、請求項１〜１３のいずれか一項に記載の固定器具。
【請求項１５】
当該固定器具の第１の部分及び第２の部分の摺動要素（１９、２０；２１、２２；４３、４４、４５）は金属板として構成されることを特徴とする、請求項１〜１４のいずれか一項に記載の固定器具。
【請求項１６】
側壁（１２、１３）及びフロントパネル（１１）を含む家具の引き出し（１０）であって、前記引き出しの側壁（１２、１３）に前記フロントパネル（１１）を調整可能に固定する、請求項１〜１５のいずれか一項に記載の第１の固定器具及び第２の固定器具（１６）を更に含むことを特徴とする、引き出し。
【請求項１７】
前記側壁（１２、１３）及び前記フロントパネル（１１）は、前記引き出し（１０）内のそれらの面に、前記固定器具（１６）の第１の部分（１７）及び第２の部分（１８）を受け入れる略円筒形状を有するそれぞれの座部（３７、３８）が作り付けられていることを特徴とする、請求項１６に記載の引き出し。
【発明の詳細な説明】
【技術分野】
【０００１】
本発明は、引き出し等の側壁に対してフロントパネルを調整可能に固定する調整可能な固定器具に関し、加えて、フロントパネル用の固定器具が設けられている、特に木製の引き出しに関する。
【背景技術】
【０００２】
家具の分野では、引き出し等の側壁にフロントパネルを調整可能に固定する器具は既知である。
特に、このような器具の使用は通常、組み立て可能な引き出しの分野において既知であり、組み立て可能な引き出しは、フロントパネルを鉛直方向及び／又は横方向に調整する好適な手段を有する、フロントパネルを固定するための構造を前方において内部で一体化する箱型の金属製の側壁を含む。
【０００３】
しかしながら、このような固定構造は、その構成の複雑さ及びその固有の寸法のために、箱の壁の内部への適用のみに使用可能である。
これに対して、任意の種類の組み立て可能な引き出しに、その機械的な抵抗特性、及び側壁の形状、並びに側壁を構成するパネルとは関係なく適用可能である、引き出しのフロントパネルの調整可能な固定器具を利用可能にすることが必要とされている。
【発明の概要】
【発明が解決しようとする課題】
【０００４】
本発明の主な目的は従って、引き出し、特に木製の引き出し等の側壁に対してフロントパネルを調整可能に固定する器具を提供することであり、この器具は、大きさが限られており、構造的にかなり単純であり、組み立てのために、引き出しの側壁及びフロントパネルに対する複雑な作業を必要としない。
【０００５】
本発明の更なる目的は、木製の引き出し等を提供することであり、この引き出しでは、フロントパネルの位置を簡単な解決策で調整することが可能であり、引き出しの側壁及びフロントパネルに対する複雑な加工作業を行う必要がない。
【課題を解決するための手段】
【０００６】
上記は、引き出し等の側壁に対してフロントパネルを調整可能に固定する調整可能な固定器具であって、
−引き出しの側壁に固定可能な第１の部分、
−引き出しのフロントパネルに固定可能な第２の部分、並びに
−引き出しの側壁に対するフロントパネルの鉛直位置及び／又は横方向位置を調整する調整手段
を備え、
上記第１の部分及び／又は第２の部分は、略鉛直方向及び／又は横方向に従って互いに摺動可能に接続されている少なくとも第１の要素及び第２の要素を含むこと、
上記第１の部分及び第２の部分は、互いに直交するそれぞれの平面に配置され、側壁のうちの一方の内面及びフロントパネルの内面にそれぞれ固定可能であるように適合及び配置されること、並びに
上記調整手段は、当該固定器具の上記第１の部分及び／又は上記第２の部分の摺動要素間に介装され、当該摺動要素の上記鉛直方向及び上記横方向への摺動を駆動することを特徴とする、調整可能な固定器具によって達成することができる。
【０００７】
本発明の更なる特徴は、以下の特許請求の範囲に更に規定される。
本発明の特徴及び利点は、添付の図面を参照して、引き出し等の側壁へのフロントパネルの調整可能な固定器具の好ましいが限定的ではない実施形態の以下の説明からより十分に明らかとなるであろう。
【図面の簡単な説明】
【０００８】
【図１】本発明の第１の実施形態による、フロントパネル用の固定器具が設けられている家具の引き出しの斜視図である。
【図２】図１の拡大詳細図であり、フロントパネル及び固定器具が、互いから、及び引き出しの側壁から取り外されて示されている。
【図３】図１の固定器具の分解斜視図である。
【図４】図１〜図３に示されている第１の実施形態の変形形態であり、固定器具の第２の部分を、フック手段を用いてフロントパネルに係合させることができる。
【図５】本発明の第２の実施形態による、引き出しのフロントパネル用の固定器具の斜視図である。
【図６】図５の固定器具の分解斜視図である。
【図７】図１〜図３に示されている第１の実施形態の更なる変形形態であり、第１の部分の第２の要素及び第２の部分の第２の要素は、フック手段又は迅速接続手段によって互いに接続可能な別個の構成要素である。
【図８】図７の固定器具の斜視組み立て図である。
【図９】図７の固定器具の完成した実施形態を示す図である。
【図１０】引き出しのフロントパネルの固定器具を、本発明の第３の実施形態とともに示す斜視図である。
【発明を実施するための形態】
【０００９】
図１〜図３は、本発明の第１の実施形態を示しており、特に図１は、フロントパネル１１、好ましくは中実の側壁１２、１３、底部１４及び後壁１５を含む、好ましくは木等から作られる家具の引き出し１０を示している。
【００１０】
フロントパネル１１は、引き出し１０の内側の角部の各側に配置されている、参照符号１６でその全体が示される固定器具によって側壁１２、１３に調整可能に固定される。各固定器具１６は、引き出し１０の側壁１２、１３に固定可能な第１の部分１７、引き出し１０のフロントパネル１１に固定可能な第２の部分１８、並びに、引き出しの側壁１２、１３に対してフロントパネル１１の鉛直位置及び／又は横方向位置を調節する調整手段を含む。
【００１１】
本発明の土台となる包括的な着想によると、第１の部分１７及び／又は第２の部分１８は、図１にそれぞれの矢印によって示される略鉛直方向Ｖ及び／又は横方向Ｌに従って互いに摺動可能に接続されている少なくとも第１の要素及び第２の要素を含む。
【００１２】
更に、第１の部分１７及び第２の部分１８は互いに直交するそれぞれの平面に配置されており、調整手段は、固定器具の第１の部分及び／又は第２の部分の摺動要素間に介装され、以下で説明するように、それらの要素によって鉛直方向Ｖ及び横方向Ｌに摺動させられる。
【００１３】
第１の実施形態では、図２及び図３により明確に示されているように、第１の部分１７は、引き出し１０の側壁１２、１３の内面に例えばねじによって固定可能な第１の要素１９、及び、略鉛直方向に、より好ましくは鉛直方向Ｖに摺動可能に第１の要素１９に接続されるとともに重ね合わせられる第２の要素２０を含む。
【００１４】
第２の部分１８は、更に、引き出し１０のフロントパネル１１の内面に例えばねじを用いて固定可能な第１の要素２１、及び、フロントパネル１１が位置する平面、より好ましくは横方向平面Ｌにおいて略横方向に摺動可能に第２の部分１８の第１の要素２１に接続されるとともに重ね合わせられる第２の要素２２を含む。
【００１５】
器具１６の第１の部分１７及び第２の部分１８の要素１９、２０、２１、２２は好ましくは金属板の形態である。
第１の部分１７の要素間の摺動接続を達成するために、第１の部分１７の第１の要素１９は好ましくは、第２の要素２０に示される保持面２４に配置され且つ接触摺動するように適合されるウィング２３を含む。更に、摺動ガイド手段を含み、例えば、摺動ガイド手段は、第１の要素１９において互いに平行に延びるとともに鉛直方向に互いから離れている２つの溝２５、及び、当該溝２５に摺動可能に係合するように第２の要素２０から突出する２つの対応するガイド突起２６を有する。
【００１６】
それに対応して、第２の部分１８の要素間の摺動接続を達成するために、第２の部分１８の第１の要素２１は好ましくは、第２の要素２２に示される保持面２８に配置され且つ接触摺動するように適合されるウィング２７を含む。更に、摺動ガイド手段を含み、例えば、摺動ガイド手段は、第１の要素２１において互いに平行に延びるとともに水平方向に互いから離れている２つの溝２９、及び、当該溝２９に摺動可能に係合するように第２の要素２２から突出する２つの対応するガイド突起３０を有する。
【００１７】
この実施形態では、第１の部分１７の第２の要素２０及び第２の部分１８の第２の要素２２は、好ましくは、Ｌ字形態を有する単一の構成要素として実現される。
摺動要素１９、２０及び摺動要素２１、２２間に介装される調整手段は、それぞれの偏心調整部材３１、３２の形態である。
【００１８】
特に、フロントパネル１１の鉛直位置を調整するために、固定器具１６の第１の部分１７は、第１の要素１９の穴３３に挿入される回転ピン３１’、及び、第２の要素２０に設けられる細長い穴３４に収容される、回転ピン３１’に対して偏心した円筒体３１’’を有する第１の偏心調整部材３１を含む。このように、機構３１を適切に回転させることによって、第１の要素１９に対して第２の要素２０を鉛直方向に摺動させることができる。
【００１９】
同様に、フロントパネル１１の横方向位置を調整するために、固定器具１６の第２の部分１８は、第１の要素２１の穴３５に挿入される回転ピン３２’、及び、第２の要素２２に設けられる細長い穴３６に収容される、ピン３２’に対して偏心した円筒体３２’’を有する第２の偏心調整部材３２を含む。このように、機構３２を適切に回転させることによって、第１の要素２１に対して第２の要素２２を横方向に摺動させることができる。
【００２０】
引き出し１０の内部のスペースを占めることなく、簡単な組み立てを得るために、固定器具１６の第１の部分１７及び第２の部分１８は、好ましくは、それぞれの円筒形の座部３７、３８、すなわち、側壁１２、１３及びフロントパネル１１の内面の従来のフライス加工作業によって容易に達成可能な略円筒形の座部３７、３８に挿入可能及び一体化可能であるように略円筒形状を有する。
【００２１】
図４は、固定器具１６の第２の部分１８がフック手段を用いてフロントパネル１１に係合可能である、第１の実施形態の変形形態を示している。この実施形態では、固定器具１６は、例えばフロントパネル１１の内面にねじ等を用いて固定可能な金属板の形態の基部要素３９を含む。この要素３９は、例えば、固定器具１６の第２の部分１８の第１の要素２１において可能な対応する開口４２にスナップ係合可能な弾性降伏する歯４１が設けられている、２つ以上のウィング４０の形態のフック手段を備える。
【００２２】
代替的には、固定器具１６の第２の部分１８は、基部要素を介装することなく迅速接続手段を用いてフロントパネル１１に固定可能である。例えば、第２の部分１８は、引き出し１０のフロントパネル１１に示される対応する穴に挿入可能及び固着可能な、ねじ又は回転可能な命令（ｃｏｍｍａｎｄ）要素によって拡張可能である、シャンク等の形態の、少なくとも１つの、より好ましくは２つの拡張可能な接続機構を含むことができる。
【００２３】
図５及び図６は、本発明の第２の実施形態を示しており、これらの図では、同様の又は均等な部分を指すのに同じ参照符号が用いられる。この実施形態では、鉛直方向の調整及び横方向の調整の双方が固定器具１６の第２の部分１８に一体化される。
【００２４】
特に、図６により明確に示されているように、第２の部分１８は、引き出しのフロントパネル１１の内面に固定可能な第１の要素４３、第１の方向に従って、例えば鉛直方向Ｖに摺動可能に第１の要素４３に接続されるとともに重ね合わせられる第２の要素４４、及び、第２の方向、例えば横方向Ｌに摺動可能に第２の要素４４に接続されるとともに重ね合わせられる第３の要素４５を含む。
【００２５】
第１の部分１７は、その代わりに、例えばねじによって引き出し１０の側壁１２に調整不能に固定され、好ましくは、第２の部分１８の第３の要素４５の角度が付いた延長部４６によって構成される。
【００２６】
第２の部分１８の要素間の摺動可能な接続を達成するために、その第１の要素４３は、好ましくは、第３の要素４５に示される保持面４８に配置され且つ接触摺動し、更に第１の要素４３と第３の要素４５との間に介装される第２の要素４４も保持するように適合されるウィング４７を含む。加えて、摺動ガイド手段を含み、この摺動ガイド手段は、例えば、第１の要素４３において互いに平行に延びるとともに鉛直方向に互いから離れている第１の対の溝４９、及び、当該溝４９に摺動可能に係合するように第２の要素４４から突出する２つの対応するガイド突起５０を有する。更に、摺動ガイド手段は、第２の要素４４において互いに平行に延びるとともに水平方向に互いから離れている第２の対の溝５１、及び、溝５１に摺動可能に係合するように第３の要素４５から突出する２つの対応するガイド突起５２を有する。
【００２７】
摺動要素４３、４４、４５間に介装される調整手段は、好ましくは、それぞれの偏心調整部材５３、５４の形態であり、その機能は第１の実施形態に関して記載したものと同様である。
【００２８】
図７及び図８は、本発明の第１の実施形態の更なる変形形態を示しており、これらの図では、同様の又は均等な部分を指すのに同じ参照符号が用いられる。この実施形態では、第１の部分１７の第２の要素２０及び第２の部分１８の第２の要素２２の双方は、部分１７及び部分１８を最初に側壁１２、１３に、及びそれぞれ引き出し１０のフロントパネル１１に固定することが可能である。従って、工具を用いてフロントパネル１１を側壁１２、１３に簡単且つ迅速に係合させることが可能であるように、フック手段又は迅速接続手段又はねじによって互いに接続可能な別個の構成要素である。
【００２９】
図示のように、フック手段は、好ましくは、第１の部分１７の第２の要素２０から直角に突出する第１のフック用フォーク５５を含み、第２のフォーク５７が挿入される上方に開口したスリット５６を備え、この第２のフォーク５７は、第２の部分１８の第２の要素２２から直角に突出し、下方に開口したスリット５８を備える。
【００３０】
特に、第１のフォーク５５は、第２のフォーク５７のスリット５８が連結部を形成して（ａ  ｆｏｒｍ  ｃｏｕｐｌｉｎｇ）嵌まる平坦な部分５５’を備える。更に、第２のフォーク５７は、第１のフォーク５５のスリット５６内に連結部を形成して挿入される平坦な部分５７’を備える。
【００３１】
このように、フロントパネル１１には、二重の相互係合を画定するように、第１のフォーク５５に対して上から第２のフォーク５７を挿入することによって、側壁１２、１３を簡単に組み付けることができる。更に、平坦な部分５５’、５７’及び相対的な連結用割れ目５８、５６が互いに直角に配置されていることによって、固定器具１６の要素２０、２２間のいかなる相互の移動も防止される。
【００３２】
フォーク５５、５７間の離脱を防止するために、好適な阻止手段には、例えば、第１の部分１７の第２の要素２０に形成されて、第２のフォーク５７に形成された開口６０に係合するように適合及び配置されている歯５９が設けられる。
【００３３】
締付手段が、好ましくは、フック手段又は迅速接続手段の間の連結部にいかなる遊びもないよう相殺し、その上、引き出しの木製部分の構成及び固定器具の座部の実現において加工誤差を相殺するために含まれる。締付手段、例えば第２のフォーク５７のスリット５８は、第１のフォーク５５の平坦な部分５５’が組み付け状態にある位置に対してフロントパネル１１に向かってわずかに変位する。更に、締付手段、例えば第２のフォーク５７のスリット５８は、フォーク５５、５７間の連結を弾性的に行うことによって、遊びのないフロントパネル１１の安定した位置決めを保証するように、下方向に分岐する面を有する。
【００３４】
迅速接続手段に関して図７及び図８に示されている変形形態は、図５及び図６に示されている第２の実施形態に更に適用することができ、特に、フック手段又は迅速接続手段が、第３の要素４５と引き出し１０の側壁１２、１３に固定可能な延長部４６との間に配置される。図９は、図７に示されている固定器具の改良されたバージョンを示しており、図７に示されている固定器具とは、より大きい加工誤差を相殺することが可能な更なる締付手段の存在において異なっている。
【００３５】
特に、図７を参照して記載した締付手段に対して付加的に又は代替的に、図９のバージョンの固定器具１６は、第２の部分１８の第２のフック用フォーク５７によって回転可能に支持される偏心締付部材６１を含み、この機構６１は、固定器具１６の第１の部分１７の第１のフォーク５５の表面６２に対して作用するように適合及び配置されている。
【００３６】
このように、固定器具１６の２つの部分１７、１８がフォーク５５、５７の相互フックによって接続されると、いかなる遊び及び加工誤差も相殺するようにフロントパネル１１を側壁１２、１３に対して押し付けるよう、偏心締付部材６１を好適に回転させることによって連結部を締め付けることができる。
【００３７】
偏心締付部材６１をフォーク５５、５７間の連結の前に最初の静止位置に維持するために、第２のフォーク５７は好ましくは保持ウィング６３を含み、この保持ウィング６３に対して締付機構６１が離脱可能に押し付けられる。
【００３８】
図１０は本発明の第３の実施形態を示しており、この実施形態において、引き出し１０のフロントパネル１１に固定器具１６の第２の部分１８を固定するために迅速接続手段を含む。
【００３９】
この実施形態では、図４の解決策と同様に、固定器具１６は、例えばフロントパネル１１の内面にねじ等によって固定可能な金属板の形態の基部要素６４を含む。この要素６４は、例えば固定器具１６の第２の部分１８の第１の要素２１において可能な対応する開口６６に係合可能である第１の固定された保持ウィング６５、及び、第２の部分１８の第１の要素２１において可能な対応する開口６９に更に挿入可能である形状付きの保持ウィング６８を有する回転可能な保持機構６７を含む迅速接続手段を備える。第１の保持ウィング６５及び回転可能な保持機構６７は、基部要素６４の対向する下側縁及び上側縁にそれぞれ配置される。
【００４０】
固定器具１６によって、引き出し１０のフロントパネル１１の取り付けは、簡単且つ迅速に行われる。特に、フロントパネル１１の基部を引き出しの底部１４に近づけることによって、最初に第１の保持ウィング６５を開口６６に挿入し、次に保持部材６７を開口６９に挿入し、最後に、座部又は十字の切れ目７０に挿入可能な工具を用いて、形状付きのウィング６８を、形状付きのウィング６８と開口６９の隆起した縁６９’との間の、又は任意の場合には第１の要素２１の部分との機械的な係合を引き起こすように、２つの基準ノッチ７１間で例えば９０°の角度だけ回転させる。
【００４１】
形状付きのウィング６８及び／又は隆起した縁６９’を好適に適合させることによって、いかなる遊び及び／又は加工誤差も相殺するように、それらの部分の間の連結部の必要な締め付けをもたらすことができる。
【００４２】
上記から明らかであるように、引き出し等の側壁に対するフロントパネルの調整可能な固定器具は、特に側壁及びフロントパネルの面に対して直交する方向に大きさが限られた形態を有する。更に、上記固定器具は、構造的に単純であり、引き出しの側壁及びフロントパネルに対する複雑な加工を必要とすることなく、木製の引き出し等とともに用いるのに特に好適なものにする。
【００４３】
しかしながら、本発明の引き出し等の側壁に対してフロントパネルを調整可能に固定する器具は、全て本発明の概念の範囲に入る変更形態及び変形形態が可能であり、更に、構成の細部の代わりに、技術的に均等な要素を用いることができる。
【図１】
2016508775.tif 000003
【図２】
2016508775.tif 000004
【図３】
2016508775.tif 000005
【図４】
2016508775.tif 000006
【図５】
2016508775.tif 000007
【図６】
2016508775.tif 000008
【図７】
2016508775.tif 000009
【図８】
2016508775.tif 000010
【図９】
2016508775.tif 000011
【図１０】
2016508775.tif 000012
【国際調査報告】
2016508775.tif 000013
2016508775.tif 000014